(57)【要約】      （修正有）【課題】水路類、池類の底は、たいてい水平でほとんど流れない汚泥物等を取り除き容易に排除して、沈水等を速く循環して速く流れて浄化する。【解決手段】水路類、池類の下流域（Ｄ）に堰板（１．１）を設け、上の堰板（１）の下方（Ｂ）を開口（Ａ）して沈水等を潜らせて、下の堰板（１）の上方（Ｃ）から漏らす。ポンプ設備して沈水等を揚水する。沈殿槽（７，７）から上流域（Ｇ）まで副水路（５，５）を設備して、沈殿槽（７，７）で汚泥等を沈殿されて上水を多く送り加え続ける事により水位を保ち速く循環して速く流れて汚水を浄化する。【選択図】      図１
2004330172.tif 000002
【特許請求の範囲】
【請求項１】
上流域（Ｇ）等に沈殿槽（７）の上水を加え沈水等を上の堰板（１）の下方（Ｂ）の開口（Ａ）を潜らせ下の堰板（１）の上方（Ｃ）から漏らす、漏れた沈水等を下の堰板（１）の下流域（Ｄ）にポンプの揚水入口（３）を備えて揚水する、ポンプの揚水出口（４）に沈殿槽（７）を設置する、沈殿槽（７）から上流域（Ｇ）までＵ字溝、配管等の副水路（５）を設備して浄化する水路類池類の浄化装置。
【発明の詳細な説明】
【０００１】
【発明の属する技術分野】
本発明は、水路類、池類に堰板（１，１）を並べ、ポンプ設備に沈殿槽（７，７）に副水路（５，５）を設ける。上流域（Ｇ）に沈殿槽（７，７）の上水を送り加え続けて速く循環され速く流し水位を保ち、伴って流れる汚水等を浄化する水路類池類の浄化装置に関する。
【０００２】
【従来の技術】
従来の水路類は、汚水等のヘドロ層に成り沈積して浅くなり水流、水量はわずかで腐り悪臭が漂っていたのが多かった、水は濁り魚類の生息は殆どなかったのが多かった。養殖池等は、地下水等の利用水量は多く必要で、魚類は生存率よくなく、底に魚類の食べ残し等が汚泥になり沈積していた。
【０００３】
【発明が解決しようとする課題】
従来の水路類、池類の底にあっては、おおかた水平でほとんど流れないので水質は好ましくない、底に汚泥層等がよく溜まり浅くなり、水路類はそのまま河川に海洋へと流して自然破壊している問題点があった。また養殖池等は地下水等の資源を多く要するので自然破壊になり、資源を多く使っている問題点があった。底に魚類の食べ残し等がヘドロ層に成り取り除くとき濁り魚類は死滅する恐れが有ったため、養殖池等の機能を中断して魚類は別の容器等に入れて確保いたため手間が多く要する問題点があった。
【０００４】
本発明の水路類、池類の底（９）は、たいてい水平で有っても水流等を送り加え続けることにより水量、水圧が多くなり、より速く隅々まで循環されて、速く流れて酸素量を多くして、ヘドロ層を無くし、利用水量は多くして、水質を良くすることにより魚類の生存率を良くするともに、魚類の生息で浄化を図る事を提供することを目的とする。そうして、沈殿槽（７，７）に汚泥等が沈殿するとバキュームカー等により水路類、池類の機能を止めないで容易に排除する事を提供することを目的とする。
【０００５】
【課題を解決する手段】
上記の目的を達成する為に、本発明の水路類、池類においては、下流域（Ｄ）に堰板（１，１）を備え、上流域（Ｇ）の底（９）より下流域（Ｄ）に向かって底（９）を低くすると良好で、上の堰板（１）の下方（Ｂ）を開口（Ａ）する。下の堰板（１）上方（Ｃ）までの丈を上流域（Ｇ）の溜める水位の位置して、その下の堰板（１）の下流域（Ｄ）にポンプの揚水入口（３，３）を備えて、ポンプの揚水出口（４，４）に沈殿槽（７，７）に備え、その沈殿槽（７，７）を溜める水位より高い位置に設置する。沈殿槽（７，７）から上流域（Ｇ）までＵ字溝、配管等の副水路（５，５）を設備する。
【０００６】
【発明の実施の形態】
上記のように構成された水路類、池類の浄化装置は、上の堰板（１）を持ち上げて下方（Ｂ）を開口（Ａ）する。その開口（Ａ）に上流域（Ｇ）等の沈水された汚水等は開口（Ａ）に潜り、下流域（Ｄ）の上の堰板（１）と下の堰板（１）の間隔に汚水等が浮上する。浮上した汚水等は下流域（Ｄ）の下の堰板（１）の上方（Ｃ）から漏れる。漏れた汚水等は下の堰板（１）の下流域（Ｄ）からポンプで揚水入口（３，３）から揚水出口（４，４）の沈殿槽（７，７）まで揚水する。汚物等は沈殿槽（７，７）で沈殿して、沈殿槽（７，７）の上水を循環入口（Ｅ，Ｅ）から上流域（Ｇ）の循環出口（Ｆ，Ｆ）まで流れ続け沈水等は循環され、汚水等は沈殿槽（７，７）に沈降され浄化する。沈殿槽（７，７）にヘドロ層に成ると片方のポンプを止めて、汚泥等をバキュームカー等で排除する。または余り水は水路類は自然に水路の下方へ漏れ流れる。養殖池等は余り水を沈殿槽（７）からバキューム装置等で排泄する。
【０００７】
【実施例】
実施例について図面を参照して説明すると、図１の水路には、下流域（Ｄ）にゲート（２，２）を設ける。そのゲート（２，２）に堰板（１，１）を設置、上のゲート（２）のハンドル（１０）を回して上の堰板（１）の下方（Ｂ）を開口（Ａ）する。下流域（Ｄ）の横岸（８，８）に棚橋（１３）を架けてポンプを二機設備し、下の堰板（１）の上方（Ｃ）の丈を溜める水位の位置にする。ポンプの揚水入口（３，３）を下の堰板（１）の下流域（Ｄ）を設け、下流域（Ｄ）の両横岸（８，８）に沈殿槽（７，７）を溜める水位より高い位置に設けて揚水出口（４，４）を備え、沈殿槽（７，７）の循環入口（Ｅ，Ｅ）から上流域（Ｇ）の両横岸（８，８）の循環出口（Ｆ，Ｆ）までＵ字溝の副水路（５，５）を設備する。洪水時等はハンドル（１０，１０）を回し堰板（１，１）を持ち上げ対処する。
【０００８】
図２の養殖池は、下流域（Ｄ）に堰板（１，１）を設置する。その堰板（１，１）の両横方に横に突起した肩（１１，１１，１１，１１）を備える。上の堰板（１）の肩（１１，１１）下に楔台（１２，１２）を敷き開口（Ａ）する。そうして、下の堰板（１）の上方（Ｃ）を溜める水位の位置にする。下の堰板（１）の下流域（Ｄ）に揚水入口（３，３）を備えて、後岸（８）にポンプを二機設備して、その後岸（８）に沈殿槽（７，７）を養殖池の水位より高い位置に設けて揚水出口（４，４）を備える。その沈殿槽（７，７）の循環入口（Ｅ，Ｅ）にポンプ設備して上流域（Ｇ）の上岸（８）の環流出口（Ｆ，Ｆ）まで配管の副水路（５，５）を設備する。
【０００９】
【発明の効果】
本発明は、以上に説明したように構成されているので、以下に記載されるような効果を奏する。
【００１０】
本発明は、例えば汚水を水路に流しても蓄積される事なく水位を保ち次第に澄み切った水流になり汚水等を河川に海洋へと流すこと無く利用出来る。また、沈殿槽（７）を高い長距離の位置に設けると良好になり沈下水は速く循環して速く流れ続、酸素量は多くなり、汚泥等の沈殿物は沈殿槽（７）に沈殿して浄化される。そして、片方の沈殿槽（７）に沈水等を送るのを休め、水路類、池類の自然の機能を中断することなくバキュームカー等で容易に取り除く事が出来いつも隅々まで循環されて流れは続く。そして、肥料となる汚物は採集することが出来て優れている。
【００１１】
養殖池等おいては水流は速く流れ、魚類の生存率はよくなるとともに数を多く養殖でき、魚類は運動するので、食欲は多くなり、魚体は大きくなるのが早く、身は締まり天然物に変わらぬ味になり、利用水量は少なくてすむので使う資源は少量、自然破壊は減少なる効果ある。水路類では少ない雨、家庭からでる雑水流で魚類を養殖できて、魚類の生存で浄化する効果をあり、元の水路類が浄化されると河川等が浄化されて美化する効果を奏する。
【００１２】
さらに、沈殿槽（７）を横に並べるて上水をポンプ設備で高所で長距離にある上流域（Ｇ）に送ると望ましい、または沈殿槽（７）を高所で長距離にある上流域（Ｇ）に設けてポンプ設備で沈下水等を送ると、浄化機能が可能であるので、他の農業用水等に利用できて、河川、海洋等へと流す事なく利用できるので自然破壊は減少、資源は減少に成らない効果になる。また、短い距離の副水路（５）で沈殿槽（７）の上水は水面を上流域（Ｇ）に向かって速く流れて効果を発揮する利点もあり設備削減になる。ポンプ設備で多く沈殿槽（７）の上水を送ると沈下水等は速く流れ、速く循環して水位はいつも安定している利点がある。
【図面の簡単な説明】
【図１】水路の斜視図。
【図２】養殖池の斜視図。
【符号の説明】
１：堰板                          １４：ポンプカバー
２：ゲート                        １５：ネジ棒
３：揚水入口                      １６：歯車
４：揚水出口                      １７：軸受
５：副水路                        Ａ：開口
６：溝                            Ｂ：下方
７：沈殿槽                        Ｃ：上方
８：岸                            Ｄ：下流域
９：底                            Ｇ：上流域
１０：ハンドル                    Ｅ：循環入口
１１：肩                          Ｆ：循環出口
１２：楔台                        Ｈ：水溜め
１３：棚橋
【図１】
2004330172.tif 000003
【図２】
2004330172.tif 000004
【手続補正書】
【提出日】平成15年5月23日(2003.5.23)
【手続補正１】
【補正対象書類名】明細書
【補正対象項目名】特許請求の範囲
【補正方法】変更
【補正の内容】
【特許請求の範囲】
【請求項１】
上流域（Ｇ）等に沈殿槽（７）の浮水を加え続け沈水等の汚水等を堰板（１）の下方（Ｂ）の開口（Ａ）を潜りされる、堰板（１）の下流域（Ｄ）にポンプの揚水入口（３）を備えて汚水等を揚水して、ポンプの揚水出口（４）に沈殿槽（７）を設置して、沈殿槽（７）から上流域（Ｇ）等まで副水路（５）を設備しで浮水を送り続ける、上流域（Ｇ）等の汚水等を浄化して再生する水路類池類の浄化装置。
【手続補正２】
【補正対象書類名】明細書
【補正対象項目名】０００１
【補正方法】変更
【補正の内容】
【０００１】
【発明の属する技術分野】
本発明は、水路類、池類に堰板（１）を一枚ないし二枚を設け、ポンプ設備に沈殿槽（７，７）に副水路（５，５）を設置する。上流域（Ｇ）に沈殿槽（７，７）の浮水を送り加え続け速く流れ速く循環されて水位を保ち、伴って流れる汚水、汚濁等を浄化して再生する水路類池類の浄化装置に関する。


【手続補正３】
【補正対象書類名】明細書
【補正対象項目名】０００２
【補正方法】変更
【補正の内容】
【０００２】
【従来の技術】
従来の水路類は、汚水等が沈積してヘドロ層に成り浅くなり、水流、水量はわずかで腐り悪臭が漂っていたのが多かったともに、水は濁り魚類の生息はほとんどない状況であった。養殖池等は、地下水等の大量の水資源が必要で、魚類の生存率はよくなく、底に魚類の食べ残し等が汚泥になり沈積していた。


【手続補正４】
【補正対象書類名】明細書
【補正対象項目名】０００３
【補正方法】変更
【補正の内容】
【０００３】
【発明が解決しようとする課題】
従来の水路類、池類の底にあっては、おおかた水平でほとんど流れないので水質は好ましくない、底に汚泥等がよく溜まりヘドロ層になり浅くなり、水路類はそのまま河川、海洋等へ流して自然破壊している問題点があった。また、養殖池等は地下水等の水資源を多く要るので自然破壊に成るとともに、大量の水資源を使っている問題点があった。底に魚類の食べ残し等がヘドロ層になり、取り除くときに水は濁り魚類は死滅する恐れが有ったため、養殖池等の機能を中断して魚類を別の容器等に入れ確保していたため手間が多く要する問題点が有った。


【手続補正５】
【補正対象書類名】明細書
【補正対象項目名】０００４
【補正方法】変更
【補正の内容】
【０００４】
本発明の水路類、池類の底（９）は、殆ど水平で有っても沈殿槽（７，７）の浮水を送り加え続ける事により水量、水圧が多くなり、隅々まで循環されて、速く流れて酸素量を多くして、ヘドロ層を無くし、水位を保ち、水質を良くすることにより魚類の生存率を良くすることともに、魚類の生息で浄化を図り再生することを提供することを目的とする。そうして、沈殿槽（７，７）に汚泥等が沈殿すると、バキュームカー等により水路類、池類の機能を止めないで容易に排除することを提供することを目的とする。


【手続補正６】
【補正対象書類名】明細書
【補正対象項目名】０００５
【補正方法】変更
【補正の内容】
【０００５】
【課題を解決する手段】
上記の目的を達成するため、本発明の水路類、池類においては、下流域（Ｄ）に堰板（１）を一枚ないし二枚設け、上流域（Ｇ）の底（９）より下流域（Ｄ）の底（９）を低くすると良好になる。図１は堰板（１）を一枚にして下方（Ｂ）を開口（Ａ）で水位を図る。図２は上の堰板（１）の下方（Ｂ）を開口（Ａ）して下の堰板（１）の上方（Ｃ）の丈を上流域（Ｇ）の溜める水位の丈にする。図１は堰板（１）の下流域（Ｄ）にポンプの揚水入口（３，３）を備える。図２は下の堰板（１）の下流域（１））にポンプの揚水入口（３，３）を備える。図１、図２はポンプの揚水出口（４，４）に沈殿槽（７，７）を上流域（Ｇ）の溜める水位より高い位置に設置する。沈殿槽（７，７）の循環入口（Ｅ，Ｅ）から上流域（Ｇ）の循環出口（Ｆ，Ｆ）までＵ字溝、配管等の副水路（５，５）を設備する。図２は循環入口（Ｅ，Ｅ）にポンプ設備する。


【手続補正７】
【補正対象書類名】明細書
【補正対象項目名】０００６
【補正方法】変更
【補正の内容】
【０００６】
【発明の実態の形態】
上記のように構成された水路類池類の浄化装置は、図１は、ハンドル（１０）を回し堰板（１）の下方（Ｂ）を開口（Ａ）する。汚水等は開口（Ａ）に潜り揚水入口（３，３）から沈殿槽（７，７）の揚水出口（４，４）まで揚水する。そうすると、汚泥等は沈殿槽（７，７）で沈殿して浮水を循環入口（Ｅ，Ｅ）から上流域（Ｇ，Ｇ）の循環出口（Ｆ，Ｆ）まで流れ続ける。
図２は  上の堰板（１）の肩（１１，１１）に楔台（１２，１２）を敷きして下方（Ｂ）を開口（Ａ）すると、汚水等は上の堰板（１）と下の堰板（１）の間隔に浮上して、下の堰板（１）の上方（Ｃ）から漏れる。漏れた汚水等は下の堰板（１）の下流域（Ｄ）の揚水入口（３，３）から沈殿槽（７，７）の揚水出口（４，４）に揚水する。そうすると、汚泥等は沈殿槽（７，７）で沈殿して浮水は循環入口（Ｅ，Ｅ）から上流域（Ｇ）の循環出口（Ｆ，Ｆ）まで送り続ける。
上流域（Ｇ）の汚水等の沈水等は流れ循環されて、汚水の汚物は沈殿槽（７，７）で沈殿されて浄化して再生する。沈殿槽（７，７）に汚泥等が溜まると片方のポンプを止めて汚泥等をバキュームカー等で排除する。


【手続補正８】
【補正対象書類名】明細書
【補正対象項目名】０００７
【補正方法】変更
【補正の内容】
【０００７】
【実施例】
実施例について図面を参照して説明すると、図１の水路は、下流域（Ｄ）にゲート（２）に堰板（１）を設備して、ハンドル（１０）を回し堰板（１）の下方（Ｂ）を開口（Ａ）の幅で上流域（Ｇ）の水位を図る。下流域（Ｄ）の横両方岸（８，８）に棚橋（１３）を架けてポンプを二機を設備して揚水入口（３，３）を備える。両方横岸（８，８）に沈殿槽（７，７）を溜める水位より高い位置に設置して揚水出口（４，４）を備えて、沈殿槽（７，７）に循環入口（Ｅ，Ｅ）から上流域（Ｇ）の両方横岸（８，８）の循環出口（Ｆ，Ｆ）までＵ字溝の副水路（５，５）設備する。


【手続補正９】
【補正対象書類名】明細書
【補正対象項目名】００１０
【補正方法】変更
【補正の内容】
【００１０】
本発明は、例えば汚水を水路に流しても沈積される事なく水位を保ち次第に澄み切った水流になり汚水等を河川、海洋等に流す事なく利用できる。また、沈殿槽（７）を高所で長距離の位置に設けると良好になり上流域（Ｇ）の沈水等は速く循環され速く流れは続く、酸素量は多くなり、汚泥等は沈殿槽（７）に沈殿されて浄化して再生する。そして、片方の沈殿槽（７）に沈水等を揚水するのを止め、水路類、池類の機能を中断する事なくバキュームカー等で汚泥等を容易に排除できて、上流域（Ｇ）の隅々まで循環されて流れ続く。そして、肥料となる汚物は沈殿槽（７）から採取できて優れている。


【手続補正１０】
【補正対象書類名】明細書
【補正対象項目名】００１１
【補正方法】変更
【補正の内容】
【００１１】
養殖池等において、深い養殖池に出来、水流が底（９）まで速く流れ、魚類の生存率はよくなるともに数を多く養殖出来て、魚類は運動するので食欲は良くなり魚体が大きくなるのが早く、身は締まり天然物に変わらない味になり、今の天然物より良い味にできる効果があり、使う水資源は少量で自然破壊は減少する。
水路類では少ない雨、家庭等から出る雑水で魚類を養殖できて、魚類の生息で浄化する効果があり、元の水路類が浄化されると河川、海洋等が美化される。


【手続補正１１】
【補正対象書類名】明細書
【補正対象項目名】００１２
【補正方法】変更
【補正の内容】
【００１２】
さらに、沈殿槽（７）を二槽以上を段々にして浮水をポンプ設備で高所で長距離の上流域（Ｇ）に送る事が望ましい。または沈殿槽（７）を高所で長距離の上流域（Ｇ）に備えポンプ設備で沈水等の汚水等を送ると、浄化可能で他の農業用水等に利用でき、河川、海洋等へ流す事なく利用できるので自然破壊は減少になり、水資源は減少に成らない効果になる。また、短距離の副水路（５）で、沈殿槽（７）の浮水は水面に行き渡り浄化効果を発揮する利点あり設備削減になる。
そして、ポンプ設備で沈殿槽（７）に大量の汚水等を揚水すると、大量の浮水が出て送ると、上流域（Ｇ）等の沈水等の汚水等は伴って速く流れ速く循環され浄化を図り水位は安定して水質は復活していて優れている。


【手続補正１２】
【補正対象書類名】図面
【補正対象項目名】図１
【補正方法】変更
【補正の内容】
【図１】
2004330172.tif 000005